(57)【要約】【課題】降雪量が多い場合でも、天然芝のフィールドの積雪を防止しつつ、この天然芝の日照を確保できる建物を提供すること。【解決手段】ドーム型競技場１は、天然芝１１を覆う屋根３０を有する。屋根３０は、所定の屋根勾配の中央部３１と、中央部３１の周囲に設けられて中央部３１よりも屋根勾配が大きい周縁部３２と、を備える。周縁部３２は、日射透過率が所定値以上であり、周縁部３２の屋内側には、周縁部３２を透過して入射する太陽光を中央部３１の下面に向けて反射する反射面４２を有する可動ルーバー４０ｃが設けられ、中央部３１の下面には、可動ルーバー４０ｃの反射面４２から入射する太陽光を天然芝１１に向けて反射する反射面４３が設けられる。【選択図】図１
2018021430.tif 000002
【特許請求の範囲】
【請求項１】
芝を覆う屋根構造であって、
所定の屋根勾配の中央部と、当該中央部の周囲に設けられて前記中央部よりも屋根勾配が大きい周縁部と、を備え、
当該周縁部は、日射透過率が所定値以上であり、
前記周縁部の屋内側には、前記周縁部を透過して入射する太陽光を前記中央部の下面に向けて反射する第１反射面を有する反射装置が設けられ、
前記中央部の下面には、前記第１反射面から入射する太陽光を前記芝に向けて反射する第２反射面が設けられることを特徴とする屋根構造。
【請求項２】
前記周縁部の屋内側には、前記周縁部を透過して入射する太陽光を前記芝に向けて反射する第３反射面を有する反射装置がさらに設けられることを特徴とする請求項１に記載の屋根構造。
【請求項３】
前記周縁部の日射透過率は、上側から下側に向かうに従って低下することを特徴とする請求項１または２に記載の屋根構造。
【請求項４】
前記周縁部は、ガラスで形成され、
当該周縁部には、開閉可能な窓が設けられることを特徴とする請求項１から３のいずれかに記載の屋根構造。
【請求項５】
前記周縁部は、熱可塑性フッ素樹脂フィルムで形成されることを特徴とする請求項１から３のいずれかに記載の屋根構造。
【請求項６】
前記反射装置は、水平方向を回転軸として回転可能なルーバーであり、
前記反射面は、当該ルーバーの表面に設けられることを特徴とする請求項１から５のいずれかに記載の屋根構造。
【請求項７】
前記ルーバーは、太陽光の入射角に略平行な角度に設定可能であることを特徴とする請求項６に記載の屋根構造。
【請求項８】
前記反射装置の反射面は、所定角度で固定されていることを特徴とする請求項１から５のいずれかに記載の屋根構造。
【請求項９】
天然芝が植え付けられたフィールドと、当該フィールドを囲んで配置された観客席と、前記フィールドおよび前記観客席を覆う請求項１から８のいずれかに記載の屋根構造と、を備えることを特徴とする建物。
【請求項１０】
前記反射装置は、前記観客席の直上に設けられることを特徴とする請求項９に記載の建物。
【発明の詳細な説明】
【技術分野】
【０００１】
本発明は、例えば、天然芝のフィールドを覆う屋根構造、および、この屋根構造を備えた建物に関する。
【背景技術】
【０００２】
従来より、冬季の降雪量が多い地域では、野球やサッカーなどの競技を行うフィールドを屋根で覆うドーム型建築物が提案されている。
このようなフィールドでは、競技者の身体にかかる負担を軽減するため、人工芝ではなく天然芝を採用することが好ましいが、フィールドに天然芝を採用した場合には、芝の育成および維持管理のため、フィールドの全面に太陽光を照射する必要がある。
【０００３】
そこで、以下のような屋根構造が提案されている。
特許文献１では、フィールドを囲む観客席の上に屋根庇を設け、観客席や屋根庇の前端に反射板を設けている。この特許文献１によれば、反射板の角度を適宜調整することで、反射板で太陽光を反射して、屋根庇の影に位置する芝に照射する。
【０００４】
特許文献２では、フィールドを覆う屋根に開閉可能な開口部を設けるとともに、この開口部の直下に、フィールドを囲むように太陽光を反射する反射シートを配置する。これにより、屋根の開口部から屋内に採り込んだ太陽光を反射シートで反射して、フィールドの全面に照射する。
【先行技術文献】
【特許文献】
【０００５】
【特許文献１】特開平８−２７７６４４号公報
【特許文献２】特開平９−６０３１５号公報
【発明の概要】
【発明が解決しようとする課題】
【０００６】
しかしながら、特許文献１では、屋根でフィールドの全体を覆う構造ではないため、降雪時には、フィールドに積雪するおそれがあった。
また、特許文献２は、フィールドを屋根で覆う構造であるが、屋根上に積雪した場合、屋根を開閉できず、フィールド上の天然芝の日照を十分に確保できないおそれがあった。
【０００７】
本発明は、降雪量が多い場合でも、天然芝のフィールドの積雪を防止しつつ、この天然芝の日照を確保できる屋根構造および建物を提供することを目的とする。
【課題を解決するための手段】
【０００８】
請求項１に記載の屋根構造は、芝（例えば、後述の天然芝１１）を覆う屋根構造（例えば、後述の屋根３０）であって、所定の屋根勾配の中央部（例えば、後述の中央部３１）と、当該中央部の周囲に設けられて前記中央部よりも屋根勾配が大きい周縁部（例えば、後述の周縁部３２）と、を備え、当該周縁部は、日射透過率が所定値以上であり、前記周縁部の屋内側には、前記周縁部を透過して入射する太陽光を前記中央部の下面に向けて反射する第１反射面（例えば、後述の反射面４２）を有する反射装置（例えば、後述の可動ルーバー４０ｃ）が設けられ、前記中央部の下面には、前記第１反射面から入射する太陽光を前記芝に向けて反射する第２反射面（例えば、後述の反射面４３）が設けられることを特徴とする。
【０００９】
ここで、中央部とは、平面視で、屋根の中央側の部分であり、最大屋根勾配が例えば２５°以下である。
また、周縁部とは、平面視で、屋根の中央部の外側の部分であり、周縁部の屋根勾配つまり水平面に対する傾斜角度は、例えば２５°を超える。周縁部の屋根勾配が２５°以下である場合、降雪時に滑雪されにくくなり、周縁部に雪が積もってしまう可能性がある。
また、周縁部の日射透過率は、例えば、４０％以上である。周縁部の日射透過率が４０％未満である場合、周縁部を通して太陽光を十分に屋内に採り入れることができないので、芝が日照不足となる可能性がある。
【００１０】
この発明によれば、芝のフィールドを覆うように屋根構造を設けたので、降雪量が多い場合でも、天然芝に積雪するのを防止できる。
また、降雪時、中央部には積雪しても、周縁部には雪がほとんど積もらないので、この周縁部を通して太陽光を屋内に採り入れることができる。
また、周縁部を透過して入射した太陽光は、反射装置の第１反射面および中央部下面の第２反射面を経由して、芝に照射される。このとき、中央部下面の第２反射面で反射した光は、芝全体に照射されるので、フィールド上の芝の日照を確保できる。
また、中央部の下面で光を反射したので、屋内では中央部と周縁部との輝度の差が小さくなり、フィールド上の競技者に良好な競技環境を提供できる。
【００１１】
請求項２に記載の屋根構造は、前記周縁部の屋内側には、前記周縁部を透過して入射する太陽光を前記芝に向けて反射する第３反射面（例えば、後述の反射面４２）を有する反射装置（例えば、後述の可動ルーバー４０ｂ）がさらに設けられることを特徴とする。
【００１２】
この発明によれば、周縁部を透過して入射した太陽光は、第３反射面で反射されて、芝に照射される。したがって、周縁部から屋内に採り入れた太陽光を、屋内の芝に照射できる。
【００１３】
請求項３に記載の屋根構造は、前記周縁部の日射透過率は、上側から下側に向かうに従って低下することを特徴とする。
【００１４】
この発明によれば、周縁部の日射透過率を下側に向かうに従って低くしたので、フィールド上の競技者が感じる眩しさ（グレア）を低減できる。つまり、競技中の競技者の視線はあまり高くならないため、周縁部の下側の日射透過率を低くすることで、競技者が感じる眩しさを低減できる。
【００１５】
請求項４に記載の屋根構造は、前記周縁部は、ガラスで形成され、当該周縁部には、開閉可能な窓（例えば、後述の窓３３）が設けられることを特徴とする。
【００１６】
この発明によれば、窓を開放することで、外部から屋内に風を取り入れて、屋内を換気できる。
【００１７】
請求項５に記載の屋根構造は、前記周縁部は、熱可塑性フッ素樹脂で形成されることを特徴とする。
【００１８】
この発明によれば、周縁部を熱可塑性フッ素樹脂で形成したので、芝の育成に適した波長の光を採り入れることができる。また、屋根の軽量化を実現できるので、施工費を低減できる。
【００１９】
請求項６に記載の屋根構造は、前記反射装置は、水平方向を回転軸として回転可能なルーバー（例えば、後述の可動ルーバー４０）であり、前記反射面は、当該ルーバーの表面に設けられることを特徴とする。
【００２０】
この発明によれば、ルーバーを回転可能としたので、ルーバーの反射面の水平面に対する角度を適宜調整することで、季節や時間帯によって太陽高度が変化した場合でも、太陽光を屋内の所定位置に照射できるうえに、フィールド１０上の競技者が感じる眩しさ（グレア）を低減できる。
【００２１】
請求項７に記載の屋根構造は、前記ルーバーは、太陽光の入射角に略平行な角度に設定可能であることを特徴とする。
【００２２】
この発明によれば、ルーバーを太陽光の入射角に略平行な角度に設定したので、太陽の位置によっては、太陽光をルーバーで反射して減衰させることなく、直接、芝生面に照射できる。
【００２３】
請求項８に記載の屋根構造は、前記反射装置（例えば、後述の固定ルーバー７０）の反射面は、所定角度で固定されていることを特徴とする。
【００２４】
この発明によれば、反射装置の反射面を所定角度で固定したので、反射装置を駆動するための複雑な機構が不要となるから、反射装置の施工コストを削減できるうえに、反射装置の維持管理が容易となる。
【００２５】
請求項９に記載の建物（例えば、後述のドーム型競技場１、１Ａ）は、天然芝（例えば、後述の天然芝１１）が植え付けられたフィールド（例えば、後述のフィールド１０）と、当該フィールドを囲んで配置された観客席（例えば、後述の観客席２０）と、前記フィールドおよび前記観客席を覆う請求項１から７のいずれかに記載の屋根構造と、を備えることを特徴とする。
【００２６】
請求項１０に記載の建物は、前記反射装置は、前記観客席の直上のみに設けられることを特徴とする。
【００２７】
この発明によれば、周縁部のうち観客席の直上となる位置には、反射装置が設けられているから、太陽光を奥の芝生面に照射できるとともに、太陽光が観客席に直接照射されるのを防いで、観客席の温熱環境を良好にできる。
また、周縁部のうち観客席の直上以外の位置には、反射装置が設けられていないから、太陽の位置によっては、太陽光を反射装置によって減衰させることなく、直接、芝生面に照射できる。
【発明の効果】
【００２８】
本発明によれば、降雪量が多い場合でも、天然芝のフィールドの積雪を防止しつつ、この天然芝の日照を確保できる。
【図面の簡単な説明】
【００２９】
【図１】本発明の第１実施形態に係る屋根構造が適用されたドーム型競技場の縦断面図である。
【図２】前記実施形態に係る屋根構造の反射装置の縦断面図である。
【図３】本発明の第２実施形態に係るドーム型競技場の周縁部の縦断面図である。
【図４】前記実施形態に係る屋根構造の反射装置の縦断面図である。
【発明を実施するための形態】
【００３０】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る屋根構造が適用された建物としてのドーム型競技場１の縦断面図である。
ドーム型競技場１は、天然芝１１が植え付けられたフィールド１０と、このフィールド１０を囲んで階段状に配置された観客席２０と、フィールド１０および観客席２０を覆う屋根３０と、を備える。
【００３１】
図１中右側の観客席２０の最上段には、外気を屋外から屋内に取り込むための開口部２１が設けられている。
屋根３０は、所定の屋根勾配の中央部３１と、中央部３１の周囲に設けられて中央部３１よりも屋根勾配が大きい周縁部３２と、を備える。
【００３２】
中央部３１は、太陽光を透過しない金属製である。また、この中央部３１は、最大屋根勾配が２５°以下であり、中央部３１の縦断面は、僅かに上方に膨らんだ曲線状となっている。
一方、周縁部３２は、日射透過率が４０％以上のガラスで形成されている。また、周縁部３２の屋根勾配は、略３５°であり、周縁部３２の縦断面は直線状となっている。
【００３３】
周縁部３２には、開閉可能な窓３３が設けられる。
周縁部３２の屋内側の近傍には、反射装置としての可動ルーバー４０が周縁部３２に沿って上下に複数段並んで配置されている。以下、可動ルーバー４０のうち、最上段に配置されたものを可動ルーバー４０ａ、上から２段目および３段目に配置されたものを可動ルーバー４０ｂ、上から４段目以下に配置されたものを可動ルーバー４０ｃとする。
【００３４】
図２は、可動ルーバー４０の縦断面図である。
可動ルーバー４０は、水平方向に延びる回転軸４１で回転可能あり、水平面に対して任意の角度に設定できるようになっている。また、この可動ルーバー４０の表裏面には、太陽光を反射する反射面４２が形成されている。
【００３５】
ここで、太陽高度ａである場合、太陽光Ｓの入射角（太陽高度）をθｓａ、反射面４２の水平面に対する角度を、θｂａ、反射光Ｒの角度をθｒａとすると、以下の式（１）が成立する。
【００３６】
θｂａ＝１／２×（θｓａ−θｒａ）…（１）
【００３７】
図１に戻って、最上段の可動ルーバー４０ａは、太陽光Ｓの入射角に略平行である。よって、周縁部３２を透過して入射する太陽光Ｓは、可動ルーバー４０ａの反射面４２に反射されることなく、そのままフィールド１０に照射される。
【００３８】
可動ルーバー４０ｂでは、第３反射面としての反射面４２が、周縁部３２を透過して入射する太陽光Ｓを、フィールド１０に向けて反射する。
可動ルーバー４０ｃでは、第１反射面としての反射面４２が、周縁部３２を透過して入射する太陽光Ｓを、中央部３１の下面に向けて反射する。
【００３９】
中央部３１の下面には、可動ルーバー４０ｃの反射面４２から入射する太陽光Ｓを、フィールド１０に向けて反射する第２反射面としての反射面４３が設けられる。
【００４０】
本実施形態によれば、以下のような効果がある。
（１）天然芝１１のフィールド１０を覆うように屋根３０を設けたので、降雪量が多い場合でも、天然芝１１に積雪するのを防止できる。
また、降雪時、中央部３１には積雪Ｌが生じても、周縁部３２には雪がほとんど積もらないので、この周縁部３２を通して太陽光を屋内に採り入れることができる。
また、周縁部３２を透過して入射した太陽光Ｓは、可動ルーバー４０ｃの反射面４２および中央部３１下面の反射面４３を経由して、フィールド１０上の天然芝１１に照射される。このとき、中央部３１下面の反射面４３で反射した光は、天然芝１１全体に照射されるので、フィールド１０上の天然芝１１の日照を確保できる。
また、中央部３１下面の反射面４３で光を反射したので、屋内では中央部３１と周縁部３２との輝度の差が小さくなり、フィールド１０上の競技者に良好な競技環境を提供できる。
【００４１】
（２）周縁部３２を透過して入射した太陽光Ｓは、可動ルーバー４０ｂの反射面４２で反射されて、天然芝１１に照射される。したがって、周縁部３２から屋内に採り入れた太陽光を、屋内の天然芝１１に照射できる。
【００４２】
（３）開口部２１および窓３３を開放することで、図１中白抜き矢印で示すように、開口部２１および窓３３を風が抜けるので、屋内を換気できる。
【００４３】
（４）可動ルーバー４０を回転可能としたので、可動ルーバー４０の反射面４２の水平面に対する傾斜角を適宜調整することで、季節や時間帯によって太陽高度が変化した場合でも、太陽光を屋内の所定位置に照射できるうえに、フィールド１０上の競技者が感じる眩しさ（グレア）を低減できる。
【００４４】
（５）観客席２０の上に可動ルーバー４０が位置する場合、可動ルーバー４０が観客席２０に向かう太陽光を遮るので、観客席２０への熱負荷を軽減できる。
【００４５】
（６）可動ルーバー４０ａを太陽光の入射角に略平行に設定したので、太陽光を可動ルーバー４０ａで反射して減衰させることなく、直接、天然芝１１に照射できる。
【００４６】
〔第２実施形態〕
図３は、本発明の第２実施形態に係るドーム型競技場１Ａの周縁部３２の縦断面図である。
周縁部３２は、二重に配置された熱可塑性フッ素樹脂（ＥＴＦＥ）フィルム６０、６１で形成される。
【００４７】
周縁部３２を構成するフィルム６０、６１のうち、外側のフィルム６０の日射透過率は、全面に亘って９０％以上であるが、内側のフィルム６１の日射透過率は、上端が９０％、下端が５０％であり、上側から下側に向かうに従って低下するようになっている。
これらフィルム６０、６１の間の空間は、密閉された密閉空間６２となっている。この密閉空間６２には、所定角度で固定された反射装置としての固定ルーバー７０が周縁部３２に沿って上下方向に複数段並んで配置されている。
【００４８】
図４は、固定ルーバー７０の縦断面図である。
固定ルーバー７０は、太陽高度に依存することなく、一年を通して、中央部３１下面の反射面４３に一定量の太陽光を送る構造である。
具体的には、固定ルーバー７０の上面には、反射面７１が設けられている。この反射面７１は、太陽高度８０°、７０°、６０°、５０°、４０°、３０°、２０°に対応した複数の反射領域７２ａ、７２ｂ、７２ｃ、７２ｄ、７２ｅ、７２ｆ、７２ｇの集合体である。反射領域７２ａ〜７２ｇは、屋外側から屋内側に向かって順に配置されており、屋内側に配置されるものほど低い太陽高度に対応して、水平面に対する角度が小さくなるように形成されている。
【００４９】
反射領域７２ａ〜７２ｇは、太陽高度ａの太陽光Ｓを、水平面に対して反射光角度θｒａの反射光Ｒとして反射する。
ここで、太陽高度ａである場合、太陽光の入射角（太陽高度）をθｓａとし、反射領域７２ａ〜７２ｇの水平面に対する角度をθｂａとし、反射光の角度をθｒａとすると、以下の式（２）が成立する。
【００５０】
θｂａ＝１／２×（θｓａ−θｒａ）…（２）
【００５１】
また、各反射領域７２ａ〜７２ｇの長さは、太陽高度が低くなるほど長くなるように設定されている。これは、太陽高度が低くなるほど、反射領域７２ａ〜７２ｇの単位長さ当たりに得られる光量が少なくなるため、反射領域７２ａ〜７２ｇの長さを長くすることによって、太陽高度θｓａに依存することなく、一年を通して、一定水準以上の光量を得るためである。
【００５２】
固定ルーバー７０の裏面（下面）７３は、反射面７１に比べて反射率が低くなっている。
【００５３】
本実施形態によれば、上述の（１）、（２）の効果に加えて、以下のような効果がある。
（７）周縁部３２を熱可塑性フッ素樹脂フィルム６０、６１で形成したので、天然芝１１の育成に適した波長の光を採り入れることができる。また、屋根３０の軽量化を実現できるので、施工費を低減できる。
【００５４】
（８）固定ルーバー７０の反射面７１を所定角度で固定したので、固定ルーバー７０を駆動するための複雑な機構が不要となるから、固定ルーバー７０の維持管理が容易となる。
【００５５】
（９）フィルム６０、６１の間の密閉空間６２に固定ルーバー７０を設けたので、固定ルーバー７０に塵埃が付着するのを防止できる。
【００５６】
（１０）周縁部３２の日射透過率を下側に向かうに従って低くしたので、フィールド１０上の競技者が感じる眩しさ（グレア）を低減できる。
【００５７】
（１１）固定ルーバー７０の裏面７３の反射率を低くしたので、フィールド１０上の競技者が感じる眩しさ（グレア）を低減できる。
【００５８】
（１２）フィルム６０、６１により周縁部３２を密閉空間６２としたので、周縁部３２による断熱性能が向上し、周縁部３２からの熱損失を大幅に低減できるうえに、結露や水滴の落下も防止できる。
【００５９】
なお、本発明は前記実施形態に限定されるものではなく、本発明の目的を達成できる範囲での変形、改良等は本発明に含まれるものである。
例えば、上述の各実施形態では、中央部３１の全体を金属製とし、太陽光を透過しない構造としたが、これに限らず、中央部の一部に、太陽光を透過する開口部や窓を設けてもよい。
【００６０】
また、例えば、上述の各実施形態では、可動ルーバー４０や固定ルーバー７０を周縁部３２の全面に亘って設けたが、これに限らず、可動ルーバーや固定ルーバーを周縁部３２のうち観客席２０の直上となる位置にのみ設けてもよい。
【００６１】
このようにすれば、以下のような効果がある。
（１３）周縁部のうち観客席の直上となる位置にルーバーが設けられているから、太陽光を奥の芝生面に照射できるとともに、太陽光が観客席に直接照射されるのを防いで、観客席の温熱環境を良好にできる。
また、周縁部のうち観客席の直上以外の位置にはルーバーが設けられていないから、太陽の位置によっては、太陽光を反射装置によって減衰させることなく、直接、芝生面に照射できる。
【符号の説明】
【００６２】
ａ…太陽高度  θｂａ…反射領域の水平面に対する角度  θｒａ…反射光角度
θｓａ…太陽光の入射角  Ｓ…太陽光  Ｌ…積雪  Ｒ…反射光
１、１Ａ…ドーム型競技場（建物）
１０…フィールド  １１…天然芝  ２０…観客席  ２１…開口部
３０…屋根  ３１…中央部  ３２…周縁部  ３３…窓
４０ａ、４０ｂ、４０ｃ…可動ルーバー（反射装置）  ４１…回転軸
４２…反射面（第１反射面、第３反射面）  ４３…反射面（第２反射面）
６０、６１…フィルム  ６２…密閉空間
７０…固定ルーバー（反射装置）  ７１…反射面
７２ａ、７２ｂ、７２ｃ、７２ｄ、７２ｅ、７２ｆ、７２ｇ…反射領域  ７３…裏面
【図１】
2018021430.tif 000003
【図２】
2018021430.tif 000004
【図３】
2018021430.tif 000005
【図４】
2018021430.tif 000006
【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
天然芝を覆う屋根構造であって、
所定の屋根勾配の中央部と、当該中央部の周囲に設けられて前記中央部よりも屋根勾配が大きい周縁部と、を備え、
当該周縁部は、日射透過率が所定値以上であり、
前記周縁部の屋内側には、前記周縁部を透過して入射する太陽光を前記中央部の下面に向けて反射する第１反射面を有する反射装置が設けられ、
前記中央部の下面には、前記第１反射面から入射する太陽光を前記天然芝に向けて反射する第２反射面が設けられることを特徴とする屋根構造。
【請求項２】
前記第１反射面を有する反射装置は、水平方向を回転軸として回転可能なルーバーであり、
前記第１反射面は、当該ルーバーの表面に設けられることを特徴とする請求項１に記載の屋根構造。
【請求項３】
前記周縁部の屋内側には、前記周縁部を透過して入射する太陽光を前記天然芝に向けて反射する第３反射面を有する反射装置がさらに設けられることを特徴とする請求項１または２に記載の屋根構造。
【請求項４】
前記第３反射面を有する反射装置は、水平方向を回転軸として回転可能なルーバーであり、
前記第３反射面は、当該ルーバーの表面に設けられることを特徴とする請求項３に記載の屋根構造。
【請求項５】
前記周縁部の日射透過率は、上側から下側に向かうに従って低下することを特徴とする請求項１から４のいずれかに記載の屋根構造。
【請求項６】
前記周縁部は、ガラスで形成され、
当該周縁部には、開閉可能な窓が設けられることを特徴とする請求項１から５のいずれかに記載の屋根構造。
【請求項７】
前記周縁部は、熱可塑性フッ素樹脂フィルムで形成されることを特徴とする請求項１から５のいずれかに記載の屋根構造。
【請求項８】
天然芝が植え付けられたフィールドと、当該フィールドを囲んで配置された観客席と、前記フィールドおよび前記観客席を覆う請求項１から７のいずれかに記載の屋根構造と、を備えることを特徴とする建物。
【請求項９】
前記第１反射面を有する反射装置は、前記観客席の直上に設けられることを特徴とする請求項８に記載の建物。
【手続補正２】
【補正対象書類名】明細書
【補正対象項目名】００１１
【補正方法】変更
【補正の内容】
【００１１】
請求項３に記載の屋根構造は、前記周縁部の屋内側には、前記周縁部を透過して入射する太陽光を前記芝に向けて反射する第３反射面（例えば、後述の反射面４２）を有する反射装置（例えば、後述の可動ルーバー４０ｂ）がさらに設けられることを特徴とする。
【手続補正３】
【補正対象書類名】明細書
【補正対象項目名】００１３
【補正方法】変更
【補正の内容】
【００１３】
請求項５に記載の屋根構造は、前記周縁部の日射透過率は、上側から下側に向かうに従って低下することを特徴とする。
【手続補正４】
【補正対象書類名】明細書
【補正対象項目名】００１５
【補正方法】変更
【補正の内容】
【００１５】
請求項６に記載の屋根構造は、前記周縁部は、ガラスで形成され、当該周縁部には、開閉可能な窓（例えば、後述の窓３３）が設けられることを特徴とする。
【手続補正５】
【補正対象書類名】明細書
【補正対象項目名】００１７
【補正方法】変更
【補正の内容】
【００１７】
請求項７に記載の屋根構造は、前記周縁部は、熱可塑性フッ素樹脂で形成されることを特徴とする。
【手続補正６】
【補正対象書類名】明細書
【補正対象項目名】００１９
【補正方法】変更
【補正の内容】
【００１９】
請求項２および請求項４に記載の屋根構造は、前記反射装置は、水平方向を回転軸として回転可能なルーバー（例えば、後述の可動ルーバー４０）であり、前記反射面は、当該ルーバーの表面に設けられることを特徴とする。
【手続補正７】
【補正対象書類名】明細書
【補正対象項目名】００２１
【補正方法】変更
【補正の内容】
【００２１】
本発明の屋根構造は、前記ルーバーは、太陽光の入射角に略平行な角度に設定可能であることが好ましい。
【手続補正８】
【補正対象書類名】明細書
【補正対象項目名】００２３
【補正方法】変更
【補正の内容】
【００２３】
本発明の屋根構造は、前記反射装置（例えば、後述の固定ルーバー７０）の反射面は、所定角度で固定されていることが好ましい。
【手続補正９】
【補正対象書類名】明細書
【補正対象項目名】００２５
【補正方法】変更
【補正の内容】
【００２５】
請求項８に記載の建物（例えば、後述のドーム型競技場１、１Ａ）は、天然芝（例えば、後述の天然芝１１）が植え付けられたフィールド（例えば、後述のフィールド１０）と、当該フィールドを囲んで配置された観客席（例えば、後述の観客席２０）と、前記フィールドおよび前記観客席を覆う請求項１から７のいずれかに記載の屋根構造と、を備えることを特徴とする。
【手続補正１０】
【補正対象書類名】明細書
【補正対象項目名】００２６
【補正方法】変更
【補正の内容】
【００２６】
請求項９に記載の建物は、前記反射装置は、前記観客席の直上のみに設けられることを特徴とする。